(57)【要約】【課題】  左脳、右脳をバランスよく脳全体を活性化させ、原音情報を捨てることなく、かつ聴き手のレベルに応じた負荷を選択できるようにすることで、長時間楽しみながら続けられる、脳の活性化のための音声（音）信号加工方法および装置を提供する。【解決手段】  音声（音）信号を所定時間で分割し、左右に振り分け、その後左右に振り分けた音声（音）信号を時間的にずらす（重ねる）音声（音）信号加工方法であり、重ね率は５０％重ね（２倍速）〜−１００％重ね（１／２倍速）の連続可変（リニア）とする。この実施形態である音声（音）信号加工装置はＣＤプレイヤなどのヘッドフォン出力を入力する入力部、入力した信号を記憶する記憶部、記憶した音声（音）信号を所定時間に分割、組立て、ノイズ除去する加工部、加工された音声（音）信号を出力する出力部、本装置の動作を設定、および状態を表示する操作表示部、これらの各部位の動作を監視制御する制御部を有する。【選択図】図３
2008116887.tif 000002
【特許請求の範囲】
【請求項１】
音声（音）を所定時間で分割し、左右に振り分け、所定時間左右の音声（音）をずらす方法で、左右交互あるいは同時に異なる音声（音）を聴かせることにより、脳全体を活性化させることを特徴とする音声（音）信号加工方法である。
【請求項２】
請求項１に記載の音声（音）信号加工方法を実施するための装置であって、入力部、記憶部、加工部、出力部、操作表示部、および全体を制御する制御部を備える音声（音）信号加工装置である。
【発明の詳細な説明】
【技術分野】
【０００１】  本発明は、脳の活性化を特徴とする音声（音）信号加工方法及びそれを実現するための音声（音）信号加工装置に関するものである。
【背景技術】
【０００２】  近年の課題として、音声（音）処理加工技術に対して脳の活性化への展開が求められている。
しかし、従来の音声（音）処理加工技術による、早聴き装置等は脳の活性化として話題となっているものの、聴き手にとって必要以上の負荷がかかってしまうという課題も抱えている。【０００３】  この問題を解決する方法として、本出願者は、デジタルシグナルプロセッサー（ＤＳＰ）を用いて、音声（音）信号について所定音声（音）信号をカットし、尚、聴き取りやすい制御方法を提案した。（実開平７−３６２００号）【０００４】  人が音声（音）信号を聴く際には、右の耳で聴いた音は脳の左半球（左脳）に伝達される。一方左の耳で聴いた音は脳の右半球（右脳）に伝達される。その音声（音）信号を集合し、言葉として理解する。この主たる役割を左脳が担っている。このような観点から左脳、右脳をバランスよく、脳全体の活性化に効果のある音声（音）処理加工技術も求められている。【０００５】  この問題の解決方法として音声（音）信号を所定時間（音節）でカットし、左右の耳に重ねて振り分ける制御方法を提案した。（特願２００４−２９３０９５）【０００６】  しかしながら、前述の（０００３）の方法では音を左右に振り分ける機能がないことから左脳、右脳をバランスよく活性化させる効果を期待できない。さらに音の間引きがあり、原音情報の１部を捨ててしまうという欠点があった。【０００７】  また（０００４）の方法では左右の重ね率を連続可変（リニア）にできないことと、原音よりも遅くすることができないため、必ずしも聴き手にあったレベルに負荷を設定できないという問題があった。
【発明が解決しようとする課題】
【０００８】  左脳、右脳をバランスよく脳全体を活性化させ、原音情報を捨てることなく、かつ聴き手のレベルに応じた負荷を選択できるようにすることで、長時間楽しみながら続けられる、脳の活性化のための音声（音）信号加工方法を提供することを課題としている。
【課題を解決するための手段】
【０００９】  本発明では音声（音）信号を所定時間で分割し、左右に振り分け、その後左右に振り分けた音声（音）信号を時間的にずらす（重ねる）。重ね率は５０％重ね（２倍速）〜−１００％重ね（１／２倍速）の連続可変（リニア）とする。これにより原音情報を捨てることなく、聴く者の自分のレベルに合わせて負荷（重ね率）をかけ、長時間楽しみながら聴くことが可能となる。
【００１０】  また本加工処理を施した音声（音）信号に再度同様の加工処理を行うことで、２倍速以上の重ね率も実現可能である。例えば１回目、２回目ともに２倍速であれば４倍速となる。
【００１１】  本発明では入力する音声（音）信号がステレオ信号の場合、これをモノラル化する機能を有する。
【００１２】  本発明では入力する音声（音）信号と出力する音声（音）信号が必ずしも同じ速度ではないため、入力する音声（音）信号を保存するための記憶機能を有する。
【００１３】  本発明では音声（音）信号を分割、組立てする際に発生するノイズを除去するための機能を有する。
【発明の実施と形態】
【００１４】  本発明の音声（音）信号加工方法は、記憶された音声（音）信号を、所定時間で分割し、左右に振り分ける。振り分けた音声（音）を設定された重ね率に応じて左右の音を時間的にずらす。さらに音声（音）信号の分割、組立てにおいて発生するノイズを除去する。
【００１５】  重ね率は５０％重ね（２倍速）〜−１００％重ね（１／２倍速）の範囲で連続可変（リニア）である。
【００１６】  図１は本音声（音）信号加工方法の概念図である。（１−１）は加工する音声（音）信号を表す。（ｔｏ）はその音声（音）信号を分割するための所定時間である。（Ｆ１〜Ｆ８）は所定時間で分割した音声（音）信号である。
【００１７】  図１（１−２）は重ね率、０％（１倍速）を表している。所定時間（ｔｏ）ごとに分割され、左右に振り分けられた音声（音）信号が交互に左右の耳に聴こえる。
【００１８】  図１（１−３）は重ね率３３％（１．５倍速）を表しており、左右に振り分けられた音声（音）信号が３３％重なっており、この重なった部分は左右の耳に別々の音声（音）信号が同時に聴こえる。
【００１９】  （１−４）は重ね率５０％（２．０倍速）を表しており、左右に振り分けられた音声（音）信号が全て重なっており、この重なった部分は左右の耳に別々の音声（音）信号が同時に聴こえる。
【００２０】  （１−５）は重ね率−５０％（２／３倍速）を表しており、左右に振り分けられた音声（音）信号の重なっている部分はなく、音声（音）信号との間が開いているため、ゆっくりとした音声（音）として聴こえる。
【００２１】  （１−６）は重ね率−１００％（１／２倍速）を表しており、左右に振り分けられた音声（音）信号の重なっている部分はなく、音声（音）信号との間がさらに開いているため、（１−５）よりもゆっくりとした音声（音）として聴こえる。
【００２２】  分割、組立てにおいて発生するノイズを除去するために、低域通過フィルタを有する。このフィルタにはコサイン波形整形フィルタを採用し、分割、組立てによる不連続部分の近傍のみに作用させている。したがって原音への影響は最小限にとどめることが可能である。
【００２３】  以下にノイズ除去方法について、（１−４）の左の音声（音）信号を例として、図２を用いて説明する。
【００２４】  （２−１）はノイズ除去処理前の所定時間で分割された音声（音）信号の組み立てイメージである。（Ｆ１およびＦ３）は所定時間で分割した音声（音）信号である。
【００２５】  （２−２）は分割された音声（音）信号の接合する部分それぞれへのフィルタ作用を示す。（ｔ１）はフィルタを作用させる時間である。
【００２６】  （２−３）はフィルタ通過後のそれぞれ分割された音声（音）信号の組立て図である。
【００２７】  本発明の音声（音）信号加工装置はＣＤプレイヤなどのヘッドフォン出力を入力する入力部、入力した信号を記憶する記憶部、記憶した音声（音）信号を所定時間に分割、組立て、ノイズ除去する加工部、加工された音声（音）信号を出力する出力部、本装置の動作を設定、および状態を表示する操作表示部、これらの各部位の動作を監視制御する制御部を有する。
【実施例】
【００２８】  以下に図３を用いて、本音声（音）信号加工装置（３−１）の各部位について説明する。【００２９】入力部（３−２）はＣＤプレイヤなどのヘッドフォン出力を入力し、ステレオ信号をモノラル化する。これをアナログ・デジタル変換し、記憶部（３−３）に格納する。【００３０】  記憶部（３−３）は不揮発性のメモリで構成され、複数の音声（音）信号を記憶可能である。【００３１】  加工部（３−４）は記憶部（３−３）に保存された音声（音）信号を読み取り、（００１４）〜（００２６）項で述べた音声加工方法により加工された音声（音）信号を作成する。【００３２】  出力部（３−５）は加工部（３−４）で作成された音声（音）信号をデジタル・アナログ変換し、ヘッドフォン向けに出力する。【００３３】  操作表示部（３−６）は聴き手が本音声（音）加工装置の動作を指示、設定あるいは状態を表示する部位である。設定項目は入力記憶・加工出力・記憶消去などの動作選択、記憶した音声（音）の選択、分割時間・重ね率・ノイズフィルタ作動時間の設定である。表示内容は動作状態、記憶された音声（音）の一覧である。【００３４】  制御部（３−７）は上記の各部位の動作を監視制御する。【００３５】  本音声（音）信号加工装置は、コンピュータ等の制御手段を用いて実現する。この場合加工部（３−４）と制御部（３−７）はコンピュータ内のソフトウェアで実現する。
【発明の効果】
【００３６】  本発明の音声（音）信号加工方法及びそれを実施するための音声（音）信号加工装置は以下に記載するような効果を得られる。
【００３７】  左右の耳から、別々の音声（音）信号を同時に聴くことで、聴き手の脳の中では瞬時に音声（音）信号を、解析、理解しようと試みる。すなわち本発明においては聴き手の脳もシステムの一部に組み込まれている。このことが脳を左右バランスよく、より脳全体を活性化させるために有利となる効果がある。
【００３８】  重ね率の連続可変設定（リニア）により、音声（音）信号を自分のレベルに合わせた負荷をかけることが可能である。このことで長時間楽しみながら聴くことが可能という有利な効果が得られる。
【００３９】原音よりも高い負荷だけでなく、低い負荷も可能であることから、高齢者の認知症予防にも有利となる効果が得られる。
【００４０】  間引きなどによる原音情報の欠落がないことから、音声だけでなく、音楽にも適用できるという有利な効果が得られる。
【図面の簡単な説明】
【００４１】
【図１】本発明の音声（音）信号加工方法の概念図である。
【図２】本発明の音声（音）信号加工におけるノイズ除去の概念図である。
【図３】本発明の音声（音）信号加工装置の実施の形態を示すブロック図である。
【符号の説明】
【００４２】１−１  音声（音）信号入力（原音）
１−２  重ね率０％（１倍速）で左右に振り分けられた音声（音）信号
１−３  重ね率３３％（１．５倍速）で左右に振り分けられた音声（音）信号
１−４  重ね率５０％（２．０倍速）で左右に振り分けられた音声（音）信号
１−５  重ね率−５０％（２／３倍速）で左右に振り分けられた音声（音）信号
１−６  重ね率−１００％（１／２倍速）で左右に振り分けられた音声（音）信号
２−１  処理前の音声（音）信号
２−２  フィルタ作用
２−３  組立て
３−１  音声（音）信号加工装置
３−２  入力部
３−３  記憶部
３−４  加工部
３−５  出力部
３−６  操作表示部
３−７  制御部
３−８  入力する音声（音）信号
３−９  出力する音声（音）信号
【図１】
2008116887.tif 000003
【図２】
2008116887.tif 000004
【図３】
2008116887.tif 000005